(57)【要約】【課題】  畳や建具に孔を設けたマイナスイオン発生シートを使用することにより、より多くのマイナスイオンを発生することのできるマイナスイオン発生複合建材を提供する。【解決手段】  素材を紙、不織布、樹脂のいずれかとし、複数の孔を設けると共に、マイナスイオンを発生するセラミックパウダーを混合してなるマイナスイオン発生シートを畳の内部に設けてなることを特徴とする。【選択図】  図２
2006207357.tif 000002
【特許請求の範囲】
【請求項１】
素材を紙、不織布、樹脂のいずれかとし、複数の孔を設けると共に、マイナスイオンを発生するセラミックパウダーを混合してなるマイナスイオン発生シートを畳の内部に設けてなることを特徴とするマイナスイオン発生複合建材。
【請求項２】
上記マイナスイオン発生シートを建具枠に貼り付けてなることを特徴とするマイナスイオン発生複合建材。
【請求項３】
上記マイナスイオン発生シートを２枚以上使用し、孔位置を同一軸心上に形成しないように構成してなることを特徴とする請求項２記載のマイナスイオン発生複合建材。
【発明の詳細な説明】
【技術分野】
【０００１】  この発明は、畳や建具に孔を設けたマイナスイオン発生シートを使用することにより、空気の流通や振動により、効果的にマイナスイオンを発生する複合建材に関するものである。
【背景技術】
【０００２】  従来の技術として、複合建材としてマイナスイオン発生シートを設けてなる、例えば、特定波長の遠赤外線放射特性を有する遠赤外線放射シートであって、２枚の表具素材間に、８〜１２μｍの遠赤外線波長領域において理想黒体に対し８０％以上の放射率を有する鉱物粉末組成物からなる遠赤外線放射体層を介在させ貼り合わせる。ここで、シート表面側の表具素材が普通紙、防水紙、和紙又は不織布であり、シート裏面側の表具素材が普通紙であり、遠赤外線放射体層が糊剤又は接着剤に鉱物粉末組成物を混合したものである。また、このシートを用いて複合建材を構成しているものがある。（特許文献１参照）
【特許文献１】  特開２００２−３４７１６０号公報
【発明の開示】
【発明が解決しようとする課題】
【０００３】  上記の複合建材に使用する遠赤外線放射シートは単にシート状に形成してなるものを複合建材として使用してなるものであり、孔を形成していないため、例えばふすまや障子に使用した場合、空気の流通がないためマイナスイオンの発生量が少ない。【０００４】  周知のとおり、マイナスイオンは加熱、振動、風力（圧力）等の外力を加えることにより多く発生する。
つまり、単なるシートでは、特に風力による振動によるマイナスイオンの発生量を多くすることはできない。【０００５】  また、畳に使用した場合、シート面による圧力のみの発生量であり、空気の流通や振動によるマイナスイオン発生が期待できない。【０００６】  この発明は、このような従来の構成が有していた問題を解決しようとするものであり、畳や建具に孔を設けたマイナスイオン発生シートを使用することにより、より多くのマイナスイオンを発生することのできるマイナスイオン発生複合建材を提供することを目的とする。
【課題を解決するための手段】
【０００７】  そして、この発明は上記目的を達成するために、素材を紙、不織布、樹脂のいずれかとし、複数の孔を設けると共に、マイナスイオンを発生するセラミックパウダーを混合してなるマイナスイオン発生シートを畳の内部に設けてなること。また、上記マイナスイオン発生シートを建具枠に貼り付けてなること。さらに、上記マイナスイオン発生シートを２枚以上使用し、孔位置を同一軸心上に形成しないように構成してなることを特徴とする。
【発明の効果】
【０００８】１）、複数の孔を設けると共に、マイナスイオンを発生するセラミックパウダーを混合してなるマイナスイオン発生シートを畳の内部に設けることにより、足により圧力を加え、孔を通過する空気により上下方にマイナスイオンを放射すると共に、振動させることにより、より多くのマイナスイオンを発生することができる。
２）、建具として、ふすま、戸、障子に上記マイナスイオン発生シートを使用した場合、孔より空気の流通量が多く、かつ大きく振動するため、より一層多量のマイナスイオンを発生することができる。
３）、マイナスイオン発生シートを２枚以上対向して、孔位置を同一軸心上に形成しないように構成することにより、特にふすま、戸、障子等に使用する場合、孔から向こう側が見えず、プライバシーを重要視する場所に有効である。
【発明を実施するための最良の形態】
【実施例１】
【０００９】  以下、この発明の実施例を図面に基づいて説明する。
畳によるマイナスイオン発生複合建材１は、畳表１ａと畳床１ｂの間に、素材を紙（和紙）、不織布、樹脂（ポリエチレン、ポリプロピレン等）のいずれかとし、複数の孔２ａを設けると共に、マイナスイオンを発生するセラミックパウダー２ｂを混合してなるマイナスイオン発生シート２を設けてなるものである。【００１０】  なお、セラミックパウダー２ｂの成分は特に限定するものではない。
また、孔２ｂの形状は丸型、多角型等、必要に応じて決めればよい。【００１１】  上記マイナスイオン発生複合建材１の畳表１ａの上面を歩くことにより足ａの圧力によりマイナスイオン発生シート２が圧迫され、つぎに足ａが離れると共に、開放される。
これを繰り返すことにより、マイナスイオン発生シート２からマイナスイオンＭが放射されると共に、孔２ａ―――に空気が流通し、孔２ａ―――周囲から放射Ｍ１される。
また、孔２ａ―――が空気の流通により振動され、より多くのマイナスイオンを発生することができる。
【実施例２】
【００１２】  つぎに、第２実施例を説明する。
建具（ふすま、戸、障子）によるマイナスイオン発生複合建材２１は、木製等による建具枠２１ａの画面に上記と同様な和紙等によるマイナスイオン発生シート２２を貼り付けてなるものである。【００１３】  この時、プライバシーを重要視する場合、一方の孔２２ａと他方の孔２２ａ１は同一軸心上に形成しないように構成し、向こう側が見えないようにする。【００１４】  このマイナスイオン発生複合建材２１は、孔２２ａから、あるいは孔２２ａ１から空気が流通し、振動により、より多くのマイナスイオンＭ２・Ｍ３を両側に放射することができ、特に夏場、扇風機（図示せず）等を使用すれば効果は倍増する。【００１５】  なお、上記各実施例において、マイナスイオン発生シートの大きさ、厚み、材質及びセラミックパウダーの混合量等は特に限定するものではなく、目的に応じて決めればよい。
【図面の簡単な説明】
【００１６】
【図１】  この発明の実施形態を示すマイナスイオン発生複合建材のマイナスイオン発生シートの平面図。
【図２】  この発明の実施形態を示すマイナスイオン発生複合建材における畳の要部縦断正面図。
【図３】  この発明の実施形態を示すマイナスイオン発生複合建材における畳の使用状態図。
【図４】  この発明の他の実施形態を示すマイナスイオン発生複合建材における建具の要部縦断正面図。
【図５】  この発明の他の実施形態を示すマイナスイオン発生複合建材における建具の使用状態図。
【符号の説明】
【００１７】１―――マイナスイオン発生複合建材
２―――マイナスイオン発生シート
１ａ――畳表
１ｂ――畳床
【図１】
2006207357.tif 000003
【図２】
2006207357.tif 000004
【図３】
2006207357.tif 000005
【図４】
2006207357.tif 000006
【図５】
2006207357.tif 000007